(57)【要約】【課題】簡単に支持体を剥離することができる転写方法、転写装置及び記録装置を提供すること。【解決手段】インクジェット式記録装置は、印刷機構により、紙の両面に印刷を行う。そして、第１及び第２のフィルム供給ローラ２１，２２と、ガイドローラ２３ａ，２３ｂとにより、支持体Ｋに転写層Ｔを備えた第１及び第２の画像保護用フィルムＳＵ、ＳＤを、紙の両面にそれぞれ積層し、この記録物を搬送する。このとき、第１の画像保護用フィルムＳＵの右端を、第２の画像保護用フィルムＳＤの右端よりも突出させて積層する。また、第２の画像保護用フィルムＳＤの左端を、第１の画像保護用フィルムＳＵの左端よりも突出させて積層する。【選択図】      図２
2004276269.tif 000002
【特許請求の範囲】
【請求項１】
記録手段により印刷記録媒体に画像を形成する記録工程と、
第１及び第２の積層手段により、支持体に転写層を備えた２枚の画像保護用フィルムを、前記印刷記録媒体の両面にそれぞれ積層及び搬送する積層工程と、
前記印刷記録媒体の両面に積層された前記画像保護用フィルムを、第１及び第２の圧着手段により前記印刷記録媒体にそれぞれ圧着して、前記転写層を保護層として前記印刷記録媒体の上に転写する圧着工程と
を有する転写方法において、
前記積層工程は、
前記一方の画像保護用フィルムの一側端を、前記他方の画像保護用フィルムの、前記一方の画像保護用フィルムと相対向する側の一側端よりも突出させて積層することを特徴とする転写方法。
【請求項２】
請求項１に記載の転写方法において、
前記積層工程は、前記各画像保護用フィルムを互いにずらして前記印刷記録媒体に積層することを特徴とする転写方法。
【請求項３】
請求項１又は２に記載の転写方法において、
前記圧着工程は、前記画像保護用フィルムの転写層を加熱及び加圧して、前記印刷記録媒体に転写することを特徴とする転写方法。
【請求項４】
支持体に転写層を備えた２枚の画像保護用フィルムを、印刷記録媒体の両面にそれぞれ積層及び搬送する第１及び第２の積層手段と、
前記印刷記録媒体の両面に積層された前記画像保護用フィルムを、前記印刷記録媒体にそれぞれ圧着して、前記転写層を保護層として前記印刷記録媒体の上に転写する第１及び第２の圧着手段とを備えた転写装置において、
前記第１及び第２の積層手段は、
前記一方の画像保護用フィルムの一側端を、前記他方の画像保護用フィルムの、前記一方の画像保護用フィルムと相対向する側の一側端よりも突出させて積層することを特徴とする転写装置。
【請求項５】
請求項４に記載の転写装置において、
前記第１及び第２の積層手段は、前記各画像保護用フィルムを互いにずらして前記印刷記録媒体に積層することを特徴とする転写装置。
【請求項６】
請求項４又は５に記載の転写装置において、
前記第１及び第２の圧着手段は、前記画像保護用フィルムの転写層を加熱及び加圧して、前記印刷記録媒体に転写するローラからなることを特徴とする転写装置。
【請求項７】
印刷記録媒体に画像を形成する記録手段と、
支持体に転写層を備えた２枚の画像保護用フィルムを、前記印刷記録媒体の両面にそれぞれ積層及び搬送する第１及び第２の積層手段と、
前記印刷記録媒体の両面に積層された前記画像保護用フィルムを、前記印刷記録媒体にそれぞれ加熱圧着して、前記転写層を保護層として前記印刷記録媒体の上に転写する第１及び第２の圧着手段とを備えた記録装置において、
前記第１及び第２の積層手段は、
前記一方の画像保護用フィルムの一側端を、前記他方の画像保護用フィルムの、前記一方の画像保護用フィルムと相対向する側の一側端よりも突出させて積層することを特徴とする記録装置。
【請求項８】
請求項７に記載の記録装置において、
前記第１及び第２の積層手段は、前記各画像保護用フィルムを互いにずらして前記印刷記録媒体に積層することを特徴とする記録装置。
【請求項９】
請求項７又は８に記載の記録装置において、
前記第１及び第２の圧着手段は、前記画像保護用フィルムの転写層を加熱及び加圧して、前記印刷記録媒体に転写するローラからなることを特徴とする記録装置。
【発明の詳細な説明】
【０００１】
【発明の属する技術分野】
本発明は、転写方法、転写装置及び記録装置に関する。
【０００２】
【従来の技術】
インクジェット記録方式は、記録ヘッドの微小なノズルからインクの液滴を吐出させ、紙等の印刷記録媒体に付着させて画像を形成する印刷方式である。近年、インクジェット記録用の印刷記録媒体として、紙やフィルム等の記録媒体上に、シリカやアルミナ等の多孔性微粒子を主成分とするインク受容層を設けた構成のインクジェット記録用コート紙が開発され、銀塩写真に匹敵する高画質のインクジェット画像が得られるようになっている。
【０００３】
しかしながら、上記のようなインクジェット記録用コート紙を用いることにより、画質の点では十分なインクジェット画像が得られるようになっているものの、耐光性、耐ガス性、及び耐擦性等の保存性の点では銀塩写真技術に及ばない。インクジェット画像の保存性は、インクジェット記録技術のデジタル写真サービスや商業印刷等への用途拡大に伴い、ますます重要視されるようになってきており、長期保存可能なインクジェット画像の提供は重要課題となっている。
【０００４】
インクジェット画像の保存性や光沢感を向上させる技術としては、記録物のインクジェット画像が形成された面（インクジェット画像面）上に透明フィルム等を貼り合わせることにより、該インクジェット画像を被覆する保護層を形成するオーバーコート法が知られている。このオーバーコート法には、常温で接着するフィルムの裏紙（セパレータ）を剥がしながら該フィルムを画像面に貼り合わせていくコールドラミネート法がある。更に、裏紙のない熱可塑性樹脂フィルムを加熱しながら画像面に貼り合わせていくヒート（ホット）ラミネート法、支持体に透明フィルム（転写性保護層）が設けられた構成の画像保護用フィルムを用い、該透明フィルムを画像面に熱転写させる熱転写法等がある。なかでも、熱転写法は、他のオーバーコート法に比して、薄膜の保護層の形成が可能であるため、画像面に過剰な光沢感を付与することがないという利点を有しており、記録物本来の風合いや質感を損なわずに保存性や光沢感を向上させるオーバーコート法として注目されている。
【０００５】
ところで、紙の使用量を削減する等の目的で、紙の両面に印刷を行う場合がある。紙の両面に形成された画像の保存性や光沢感を確保する場合には、紙の両面に保護層を転写する必要がある。紙の両面に保護層を転写する方法として、図７のように、フィルム等の支持体５０の上に剥離可能な転写層５１を積層した画像保護用フィルム（保護部材）５２を、印刷が行われた紙Ｐの両面に加熱圧着した後、支持体５０のみを手で剥離して両面に転写層５１を積層する熱転写方法があった（例えば、特許文献１参照。）。
【０００６】
【特許文献１】
特開昭６２−１４０８９３号公報
【０００７】
【発明が解決しようとする課題】
ところが、上記のような方法では、紙Ｐの両面に積層された前記画像保護用フィルム５２は、画像保護用フィルム５２の端５２ａと紙Ｐの端Ｐａとが揃った状態で紙Ｐに積層されている。この画像保護用フィルム５２の支持体５０を紙Ｐから剥離する際には、一方の画像保護用フィルム５２の端５２ａを手で把持して剥がすが、この端５２ａも紙Ｐに密着しているため、支持体５０を手で把持しにくい。
【０００８】
また、図８のように、各画像保護用フィルム５３の端部に紙Ｐと当接しない領域Ｒを設けて、紙Ｐに圧着する方法もある。ところが、各領域Ｒは非常に小さく、互いに向かい合った端５３ａが密着しているか、あるいは非常に接近しているため、端５３ａ付近を手で把持しにくい。その結果、支持体５３を剥離しにくい。
【０００９】
本発明は、簡単に支持体を剥離することができる転写方法、転写装置及び記録装置を提供することにある。
【００１０】
【課題を解決するための手段】
本発明の転写方法は、記録手段により印刷記録媒体に画像を形成する記録工程と、第１及び第２の積層手段により、支持体に転写層を備えた２枚の画像保護フィルムを、前記印刷記録媒体の両面にそれぞれ積層及び搬送する積層工程と、前記印刷記録媒体の両面に積層された前記画像保護用フィルムを、第１及び第２の圧着手段により前記印刷記録媒体にそれぞれ圧着して、前記転写層を保護層として前記印刷記録媒体の上に転写する圧着工程とを有する転写方法において、前記積層工程は、前記一方の画像保護用フィルムの一側端を、前記他方の画像保護用フィルムの、前記一方の画像保護用フィルムと相対向する側の一側端よりも突出させて積層する。
【００１１】
これによれば、印刷記録媒体に積層された画像保護用フィルムの一側端に、同一側端と相対向する他方の画像保護用フィルムの一側端よりも突出した部分が形成される。従って、画像保護用フィルムの支持体を手で剥離する場合には、画像保護用フィルムの突出した部分を把持すればよいため、各画像保護用フィルムの端が揃った場合よりも、手で把持しやすい。
【００１２】
この転写方法において、前記積層工程は、前記各画像保護用フィルムを互いにずらして前記印刷記録媒体に積層する。
これによれば、印刷記録媒体に各画像保護用フィルムをずらして積層することにより、少なくとも一方の画像保護用フィルムの一側端に、同一側端と相対向する他方の画像保護用フィルムの一側端よりも突出した部分が形成される。従って、画像保護用フィルムの支持体を手で剥離する場合には、各画像保護用フィルムの突出した部分を把持すればよいため、各画像保護用フィルムの端が揃った場合よりも、手で把持しやすい。
【００１３】
この転写方法において、前記圧着工程は、前記画像保護用フィルムの転写層を加熱及び加圧して、前記印刷記録媒体に転写する。
これによれば、熱転写方式により、印刷記録媒体に保護層を転写することができる。
【００１４】
本発明の転写装置は、支持体に転写層を備えた２枚の画像保護用フィルムを、印刷記録媒体の両面にそれぞれ積層及び搬送する第１及び第２の積層手段と、前記印刷記録媒体の両面に積層された前記画像保護用フィルムを、前記印刷記録媒体にそれぞれ圧着して、前記転写層を保護層として前記印刷記録媒体の上に転写する第１及び第２の圧着手段とを備えた転写装置において、前記第１及び第２の積層手段は、前記一方の画像保護用フィルムの一側端を、前記他方の画像保護用フィルムの、前記一方の画像保護用フィルムと相対向する側の一側端よりも突出させて積層する。
【００１５】
これによれば、印刷記録媒体に積層された画像保護用フィルムの一側端に、同一側端と相対向する他方の画像保護用フィルムの一側端よりも突出した部分が形成される。従って、画像保護用フィルムの支持体を手で剥離する場合には、画像保護用フィルムの突出した部分を把持すればよいため、各画像保護用フィルムの端が揃った場合よりも、手で把持しやすい。
【００１６】
この転写装置において、前記第１及び第２の積層手段は、前記各画像保護用フィルムを互いにずらして前記印刷記録媒体に積層する。
これによれば、印刷記録媒体に各画像保護用フィルムをずらして積層することにより、少なくとも一方の画像保護用フィルムの一側端に、同一側端と相対向する他方の画像保護用フィルムの一側端よりも突出した部分が形成される。従って、画像保護用フィルムの支持体を手で剥離する場合には、各画像保護用フィルムの突出した部分を把持すればよいため、各画像保護用フィルムの端が揃った場合よりも、手で把持しやすい。
【００１７】
この転写装置において、前記第１及び第２の圧着手段は、前記画像保護用フィルムの転写層を加熱及び加圧して、前記印刷記録媒体に転写するローラからなる。
【００１８】
これによれば、熱転写方式により、印刷記録媒体に保護層を転写することができる。
本発明の記録装置は、印刷記録媒体に画像を形成する記録手段と、支持体に転写層を備えた２枚の画像保護用フィルムを、前記印刷記録媒体の両面にそれぞれ積層及び搬送する第１及び第２の積層手段と、前記印刷記録媒体の両面に積層された前記画像保護用フィルムを、前記印刷記録媒体にそれぞれ加熱圧着して、前記転写層を保護層として前記印刷記録媒体の上に転写する第１及び第２の圧着手段とを備えた記録装置において、前記第１及び第２の積層手段は、前記一方の画像保護用フィルムの一側端を、前記他方の画像保護用フィルムの、前記一方の画像保護用フィルムと相対向する側の一側端よりも突出させて積層する。
【００１９】
これによれば、印刷記録媒体に積層された画像保護用フィルムの一側端に、同一側端と相対向する他方の画像保護用フィルムの一側端よりも突出した部分が形成される。従って、画像保護用フィルムの支持体を手で剥離する場合には、画像保護用フィルムの突出した部分を把持すればよいため、各画像保護用フィルムの端が揃った場合よりも、手で把持しやすい。
【００２０】
この記録装置において、前記第１及び第２の積層手段は、前記各画像保護用フィルムを互いにずらして前記印刷記録媒体に積層する。
これによれば、印刷記録媒体に各画像保護用フィルムをずらして積層することにより、少なくとも一方の画像保護用フィルムの一側端に、同一側端と相対向する、他方の画像保護用フィルムの一側端よりも突出した部分が形成される。従って、画像保護用フィルムの支持体を手で剥離する場合には、各画像保護用フィルムの突出した部分を把持すればよいため、各画像保護用フィルムの端が揃った場合よりも、手で把持しやすい。
【００２１】
この記録装置において、前記第１及び第２の圧着手段は、前記画像保護用フィルムの転写層を加熱及び加圧して、前記印刷記録媒体に転写するローラからなる。
【００２２】
これによれば、熱転写方式により、印刷記録媒体に保護層を転写することができる。
【００２３】
【発明の実施の形態】
以下、本発明を具体化したインクジェット式記録装置の一実施形態を図１〜図６にしたがって説明する。
【００２４】
図１及び図２に示すように、記録装置としてのインクジェット式記録装置（以下、プリンタとする）の図示しないケース内には、記録手段としての印刷機構１０と、第１及び第２の画像保護用フィルムＳＵ，ＳＤを転写する、熱転写装置としての熱転写機構２０とが備えられている。
【００２５】
又、図１において、印刷機構１０は、印刷記録媒体としての紙Ｐに画像を形成する記録工程を行うものであり、用紙トレイ１１、給紙ローラ１２、キャリッジ１３、記録ヘッド１４及びインクカートリッジ１５等を有している。給紙ローラ１２は、ギア機構を介して接続された紙送りモータ（いずれも図示せず）を駆動源としており、回転動作により用紙トレイ１１にセットされた紙Ｐを１枚ずつキャリッジ１３側へ搬送する。
【００２６】
キャリッジ１３は、前記ケース内に架設されたガイド部材１６に沿って往復移動し、記録ヘッド１４と、記録ヘッド１４にインクを供給するインクカートリッジ１５とを搭載している。給紙ローラ１２により搬送された紙Ｐは、前記紙送りモータを駆動源とする搬送ローラ１７ａ及び従動ローラ１７ｂの回転により、記録ヘッド１４の下方に搬送される。
【００２７】
記録ヘッド１４は、キャリッジ１３の往復動作に応じて紙送りされる紙Ｐに対して、ノズルからインク滴を吐出し、紙Ｐの一面に画像を形成する。画像が形成された紙Ｐは、紙送りモータを駆動源とする搬送ローラ１８ａ及び従動ローラ１８ｂの回転によりキャリッジ１３の下流側（図１中左側）に搬送され、前記ケースに形成された図示しない排紙口から排紙される。
【００２８】
ところで、ユーザが、紙Ｐの両面に印刷を所望する場合、片面に印刷された紙Ｐを、印刷されていない面を上面にして再び用紙トレイ１１にセットする。さらに、両面印刷した紙Ｐに保護層を形成したい場合、ケースに配設された両面オーバーコート用のスイッチを押下する。同スイッチが押下されると、プリンタの図示しない制御部に対して命令が送出される。あるいは、ユーザは、プリンタに接続されたコンピュータ端末のディスプレイに出力された画面に従って、両面オーバーコートを実行するための設定を行う。両面オーバーコートを実行するための設定が行われると、前記プリンタの制御部に対して命令が送出される。
【００２９】
同制御部は、命令を受信すると、まず印刷機構１０を制御して、一面に印刷された紙Ｐの他面に画像を形成する。そして、印刷処理に続けて、紙Ｐに両面オーバーコートを行うために、図２に示す熱転写機構２０を制御する。
【００３０】
熱転写機構２０は、第１及び第２の画像保護用フィルムＳＵ，ＳＤを紙Ｐに積層する積層工程と、第１及び第２の画像保護用フィルムＳＵ，ＳＤを紙Ｐに圧着する圧着工程とを行うものであり、印刷機構１０の下流側に配設されている。熱転写機構２０は、図２に示すように、第１及び第２のフィルム供給ローラ２１，２２、ガイドローラ２３ａ，２３ｂ、第１及び第２の圧着ローラ２４，２５等から構成されている。
【００３１】
第１及び第２の積層手段をそれぞれ構成する第１及び第２のフィルム供給ローラ２１，２２には、第１及び第２の画像保護用フィルムＳＵ、ＳＤがそれぞれロール状に巻き付けられており、図示しないフィルム供給用モータを駆動源としている。尚、第１の画像保護用フィルムＳＵと、第２の画像保護用フィルムＳＤとは構成及び材質が同じフィルムである。第１及び第２の画像保護用フィルムＳＵ，ＳＤは、紙Ｐに熱圧着されて紙Ｐの上に保護層を形成するものであり、図３に示すように、支持体Ｋ上に、転写層Ｔが設けられている。支持体Ｋは、第１及び第２の画像保護用フィルムＳＵ，ＳＤが紙Ｐに圧着された後、紙Ｐから剥離されるものであり、耐熱性を有する。転写層Ｔは紙Ｐに固着されて透明な保護層となる層であり、熱可塑性樹脂からなる。
【００３２】
第１及び第２のフィルム供給ローラ２１，２２にそれぞれ巻き付けられた第１及び第２の画像保護用フィルムＳＵ，ＳＤは、第１及び第２の積層手段をそれぞれ構成するガイドローラ２３ａ，２３ｂまで案内され、ガイドローラ２３ａ，２３ｂにて紙Ｐと重ね合わされて積層される。そして、積層された第１及び第２の画像保護用フィルムＳＵ，ＳＤ及び紙Ｐは、ガイドローラ２３ａ，２３ｂによりＸ方向（搬送方向）に搬送され、第１及び第２の圧着手段としての第１及び第２の圧着ローラ２４，２５に案内されるようになっている。このとき、第１及び第２の画像保護用フィルムＳＵ，ＳＤは、転写層Ｔが紙Ｐと当接するように、紙Ｐと共に送り出される。
【００３３】
図４は、ガイドローラ２３ａ，２３ｂによって紙Ｐに積層された第１及び第２の画像保護用フィルムＳＵ，ＳＤと、紙Ｐとの位置関係を模式的に示す平面図であって、第１及び第２の画像保護用フィルムＳＵ，ＳＤと、紙Ｐとから構成される記録物を、ガイドローラ２３ａ側から見た状態を示している。図５は、図４の第１及び第２の画像保護用フィルムＳＵ，ＳＤと、紙Ｐとから構成される記録物のＡ−Ａ線における断面図である。
【００３４】
図４に示すように、第１及び第２の画像保護用フィルムＳＵ，ＳＤと紙Ｐとから構成される記録物は、上から第１の画像保護用フィルムＳＵ、紙Ｐ、第２の画像保護用フィルムＳＤの順に積層されて、図４中矢印方向に搬送される。図４及び図５に示すように、第１及び第２の画像保護用フィルムＳＵ，ＳＤの幅は、紙Ｐの幅よりも大きく、第１及び第２の画像保護用フィルムＳＵ，ＳＤの右端ＳＵ１，ＳＤ１と、左端ＳＵ２、ＳＤ２とは、紙Ｐの右端Ｐ１及び左端Ｐ２よりもそれぞれ外側になるように積層される。
【００３５】
また、本実施形態では、第１のフィルム供給ローラ２１と、第２のフィルム供給ローラ２２とは、水平方向にずらした位置に設置されており、搬送される第１の画像保護用フィルムＳＵの両端及び第２の画像保護用フィルムＳＤの両端は、互いにずれた状態で送り出される。このため、第１の画像保護用フィルムＳＵは、その右端ＳＵ１が第２の画像保護用フィルムＳＤの右端ＳＤ１と長さＬだけ右方にずれるように、紙Ｐに対して積層されている。その結果、第１の画像保護用フィルムＳＵの図中右側には、第２の画像保護用フィルムＳＤよりも外側に突出した突出部Ｒ１が設けられる。
【００３６】
一方、第２の画像保護用フィルムＳＤは、その左端ＳＤ２が第１の画像保護用フィルムＳＵの左端ＳＵ２と長さＬだけずれるように、紙Ｐに対して積層されている。その結果、第２の画像保護用フィルムＳＤの図中左側には、第１の画像保護用フィルムＳＵよりも外側に突出した突出部Ｒ２が設けられる。
【００３７】
そして、このように積層された記録物を、ガイドローラ２３ａ，２３ｂにより、第１及び第２の圧着ローラ２４，２５側へ案内する。第１及び第２の圧着ローラ２４，２５は、例えば、表面が平滑な中空円筒状のアルミニウム材からなる押圧板２４ａ，２５ａの内部にヒータ２４ｂ，２５ｂを内蔵したものから構成される。
【００３８】
第１及び第２の圧着ローラ２４，２５の間に、前記記録物が挿入されると、第１及び第２の圧着ローラ２４，２５により加熱及び加圧が行われる。その結果、第１及び第２の画像保護用フィルムＳＵ，ＳＤの転写層Ｔは、それぞれ溶融して紙Ｐの上面及び下面に圧着される。
【００３９】
第１及び第２の圧着ローラ２４，２５により圧着された、第１及び第２の画像保護用フィルムＳＵ，ＳＤと紙Ｐとから構成される記録物は、第１及び第２の圧着ローラ２４，２５から送り出され、図示しないファンによって冷却される。紙Ｐに圧着された転写層Ｔは、溶融状態から固体の状態となり、紙Ｐの上面及び下面にそれぞれ固着される。
【００４０】
そして冷却された前記記録物は、排紙ローラ２６ａ，２６ｂに搬送されてカッター２７に案内される。そして、カッター２７は、紙Ｐの終端から所定の長さの余分を設け、第１及び第２の画像保護用フィルムＳＵ，ＳＤを切断する。その結果、突出部Ｒ１が設けられた第１の画像保護用フィルムＳＵと、突出部Ｒ２が設けられた第２の画像保護用フィルムＳＤが紙Ｐに対して固着された記録物が得られる。
【００４１】
この記録物から支持体Ｋをそれぞれ剥離する場合は、第１及び第２の画像保護用フィルムＳＵ，ＳＤの突出部Ｒ１，Ｒ２のうち一方を手で把持する。このとき、第１及び第２の画像保護用フィルムＳＵ，ＳＤには前記突出部Ｒ１，Ｒ２がそれぞれ設けられているので、各画像保護用フィルムＳＵ，ＳＤの端が互いに揃った記録物の場合と比較して把持しやすい。そして、記録物を固定しながら、紙Ｐの面に対して略垂直な外側方向の力を加える。
【００４２】
このとき、第１及び第２の画像保護用フィルムＳＵ，ＳＤに設けられた転写層Ｔは、紙Ｐに対して固着しているため、図６のように紙Ｐに対して固着されたまま残り、支持体Ｋのみが紙Ｐから剥がされる。そして、紙Ｐと当接していない転写層Ｔは、紙Ｐに対して圧着されていないため剥離された支持体Ｋに固着された状態となる。このようにして、支持体Ｋを紙Ｐから剥離すると、図６に示すインクジェット記録物Ｄが形成される。このインクジェット記録物Ｄの両面には、第１及び第２の画像保護用フィルムＳＵ，ＳＤの転写層Ｔが紙Ｐに熱転写されることにより形成された保護層ＤＨが設けられている。
【００４３】
上記実施形態によれば、以下のような効果を得ることができる。
（１）  上記実施形態では、紙Ｐの両面にオーバーコートを行うため、第１及び第２のフィルム供給ローラ２１，２２と、ガイドローラ２３ａ，２３ｂと、第１及び第２の圧着ローラ２４，２５とを設けた。そして、第１及び第２のフィルム供給ローラ２１，２２と、ガイドローラ２３ａ，２３ｂとにより、第１及び第２の画像保護用フィルムＳＵ，ＳＤの右端ＳＵ１，ＳＤ１と左端ＳＵ２，ＳＤ２とを、紙Ｐの右端Ｐ１及び左端Ｐ２よりも外側になるように紙Ｐに積層した。
【００４４】
しかも、第１の画像保護用フィルムＳＵを、その右端ＳＵ１が、第２の画像保護用フィルムＳＤの右端ＳＤ１と、長さＬだけ右方にずれるように紙Ｐに積層した。さらに、第２の画像保護用フィルムＳＤを、その左端ＳＤ２が第１の画像保護用フィルムＳＵの左端ＳＵ２と長さＬだけずれるように、紙Ｐに対して積層した。
【００４５】
その結果、第１及び第２の画像保護用フィルムＳＵ，ＳＤには、外側に突出した突出部Ｒ１，Ｒ２がそれぞれ設けられる。従って、支持体Ｋを手で剥離する際、第１及び第２の画像保護用フィルムＳＵ，ＳＤの突出部Ｒ１，Ｒ２を把持して剥離すればよく、各画像保護用フィルムＳＵ，ＳＤの端が揃った場合よりも手で把持しやすい。
【００４６】
（２）  上記実施形態では、第１及び第２の圧着ローラ２４，２５を、押圧板２４ａ，２５ａ内にヒータ２４ｂ，２５ｂを内蔵したものから構成した。このため、第１及び第２の画像保護用フィルムＳＵ，ＳＤを、転写層Ｔを溶融させた後、紙Ｐに固着させる熱転写方式により、紙Ｐに対して圧着することができる。このため、第１及び第２の画像保護用フィルムＳＵ，ＳＤの転写層Ｔに接着剤等を塗布する等の必要がない。
【００４７】
なお、上記実施形態は以下のように変更してもよい。
・上記実施形態では、第１及び第２の画像保護用フィルムＳＵ，ＳＤの両方に、突出部Ｒ１，Ｒ２を設けるようにした。これを、第１及び第２の画像保護用フィルムＳＵ，ＳＤのうち一方のフィルムに突出部を設けるようにしてもよい。このとき、突出部が設けられる画像保護用フィルムは、他方の画像保護用フィルムよりもその幅が大きくなっており、幅の差分が突出部となっている。従って、第１及び第２の画像保護用フィルムＳＵ，ＳＤと紙Ｐとから構成される記録物は、一側面に突出部が設けられており、他側面は第１及び第２の画像保護用フィルムＳＵ，ＳＤ、紙Ｐの端が揃った状態で積層される。
【００４８】
・上記実施形態では、印刷機構１０は、紙Ｐの片面に印刷を行う機能を有するものとし、両面印刷を行う際は用紙トレイ１１に紙Ｐを再度セットするようにした。これを、プリンタに両面印刷機能をもたせるようにして、自動的に紙Ｐの両面に印刷するようにしてもよい。
【００４９】
・上記実施形態では、第１のフィルム供給ローラ２１から送り出される第１の画像保護用フィルムＳＵは、その右端ＳＵ１が、第２の画像保護用フィルムＳＤの右端ＳＤ１よりも長さＬだけ右方にずれるように紙Ｐに積層した。そして、第２の画像保護用フィルムＳＤは、その左端ＳＤ２が、第１の画像保護用フィルムＳＵの左端ＳＵ２よりも左方にずれるように紙Ｐに積層した。これを、第２の画像保護用フィルムＳＤの右端ＳＤ１が、第１の画像保護用フィルムＳＵの右端ＳＵ１よりも右方にずれ、第１の画像保護用フィルムＳＵの左端ＳＵ２が、第２の画像保護用フィルムＳＤの左端ＳＤ２よりも左方にずれるようにしてもよい。
【００５０】
・上記実施形態では、熱転写装置はプリンタ内に配設したが、プリンタ内に熱転写機構２０を設けずに、熱転写装置を別途設けてもよい。この場合、例えば、プリンタには印刷機構１０を設け、プリンタから出力された紙Ｐを熱転写機構２０を設けた熱転写装置にセットし、紙Ｐの両面に第１及び第２の画像保護用フィルムＳＵ，ＳＤを圧着する。
【００５１】
・上記実施形態では、印刷記録媒体としての紙Ｐを、カット紙としたが、ロール紙でもよい。また、印刷記録媒体は、プラスチックからなるフィルム等でもよい。
【００５２】
・上記実施形態では、記録装置をインクジェット式記録装置としたが、これをレーザプリンタ、熱転写方式プリンタ等にしてもよく、要は紙、フィルム等の印刷記録媒体に画像を形成できる装置であればよい。
【００５３】
・上記実施形態では、第１及び第２の圧着手段は、ヒータを内蔵したローラとしたが、サーマルヘッドを使用してもよい。
【図面の簡単な説明】
【図１】実施形態のプリンタの印刷機構の模式図。
【図２】実施形態のプリンタの熱転写機構の模式図。
【図３】実施形態の画像保護用フィルムの断面図。
【図４】実施形態の記録物の平面図。
【図５】同記録物の断面図。
【図６】実施形態の記録物の断面図。
【図７】従来の記録物の断面図。
【図８】従来の記録物の断面図。
【符号の説明】
１０…記録手段としての印刷機構、２１…第１の積層手段を構成する第１のフィルム供給ローラ、２２…第２の積層手段を構成する第２のフィルム供給ローラ、２３ａ…第１の積層手段を構成するガイドローラ、２３ｂ…第２の積層手段を構成するガイドローラ、２４…第１の圧着手段、ローラとしての第１の圧着ローラ、２５…第２の圧着手段、ローラとしての第２の圧着ローラ、ＤＨ…保護層、Ｋ…支持体、Ｐ…印刷記録媒体としての紙、ＳＤ…第２の画像保護用フィルム、ＳＵ…第１の画像保護用フィルム、Ｔ…転写層。
【図１】
2004276269.tif 000003
【図２】
2004276269.tif 000004
【図３】
2004276269.tif 000005
【図４】
2004276269.tif 000006
【図５】
2004276269.tif 000007
【図６】
2004276269.tif 000008
【図７】
2004276269.tif 000009
【図８】
2004276269.tif 000010